(57)【要約】【課題】  作業者がリーダライタのメンテナンスを容易に行えるようにする。【解決手段】  メンテナンス装置３は、非接触ＩＣカード９とリーダライタ１との間の通信インタフェースと同等の通信インタフェースを有することにより、リーダライタ１から送信されたカード検出コマンドが受信されると、メンテナンス実行レスポンスをリーダライタ１に送信し、リーダライタ１に対するメンテナンス処理を実行する。リーダライタ１が既に客先に出荷されて運用され、リーダライタ１に接続されている上位装置２が使用不可能な場合であっても、これ以後、作業者は、リーダライタ１のメンテナンスとして例えば設定情報の設定や取得などを容易に行うことができる。【選択図】  図１
2005174099.tif 000002
【特許請求の範囲】
【請求項１】
カード検出コマンドを送信したことに応じてＩＣカードからカード応答レスポンスが受信された場合にカードアクセス処理を実行すると共にメンテナンス装置からメンテナンス実行レスポンスが受信された場合にメンテナンス装置からの指示に基づいてメンテナンス処理を実行するように構成されたリーダライタと共に使用され、
ＩＣカードとリーダライタとの間の通信インタフェースと同等の通信インタフェースを有し、リーダライタからカード検出コマンドが受信された場合にメンテナンス実行レスポンスをリーダライタに送信してリーダライタに対するメンテナンス処理を実行することを特徴とするリーダライタのメンテナンス装置。
【請求項２】
請求項１に記載したリーダライタのメンテナンス装置において、
リーダライタに対するメンテナンス処理として、設定情報の設定や取得、通信ログ情報の取得およびファームウェアのダウンロードやアップロードを実行することを特徴とするリーダライタのメンテナンス装置。
【発明の詳細な説明】
【技術分野】
【０００１】
本発明は、カード検出コマンドを送信したことに応じてＩＣカードからカード応答レスポンスが受信されるように構成されたリーダライタをメンテナンスするためのメンテナンス装置に関する。
【背景技術】
【０００２】
ＩＣカードとの間でデータを送受信するリーダライタにおいては、その設置環境やデータ送受信の対象となるＩＣカードの特性（高出力の要否など）に対応するために、リーダライタに接続されている上位装置とのインタフェースを介して例えば受信ゲインや出力レベルなどの設定情報の設定やファームウェアのダウンロードなどのメンテナンスを行うことが可能に構成されている。ところが、リーダライタが既に客先に出荷されて運用されているような場合では、例えば客先の都合で上位装置の使用が許可されなかったり、リーダライタが壁に埋込まれていてインタフェースケーブルの差換えが困難であったりするなどの理由により、作業者がリーダライタのメンテナンスを行うことができないという問題がある。
【０００３】
一方、複数のＩＣカード間で当該ＩＣカードに記録されているデータを送受信するものがある（例えば特許文献１参照）。
【特許文献１】特開２０００−３４８１４４号公報
【発明の開示】
【発明が解決しようとする課題】
【０００４】
上記した特許文献１に記載されている複数のＩＣカード間でデータを送受信する技術を適用することにより、リーダライタが上位装置を介することなくデータを送受信することが可能になると考えられるが、しかしながら、作業者がリーダライタのメンテナンスを行うことができないという問題は、依然として解消されるまでには至っていない。
【０００５】
本発明は、上記した事情に鑑みてなされたものであり、その目的は、作業者がリーダライタのメンテナンスを容易に行うことができるリーダライタのメンテナンス装置を提供することにある。
【課題を解決するための手段】
【０００６】
請求項１に記載したリーダライタのメンテナンス装置によれば、ＩＣカードとリーダライタとの間の通信インタフェースと同等の通信インタフェースを有することにより、リーダライタから送信されたカード検出コマンドが受信されると、メンテナンス実行レスポンスをリーダライタに送信し、これ以後、リーダライタに対するメンテナンス処理を実行するように構成したので、例えばリーダライタが既に客先に出荷されて運用され、リーダライタに接続されている上位装置が使用不可能な場合であっても、カード検出コマンドに対してメンテナンス実行レスポンスが送信されることにより、これ以後、作業者は、リーダライタのメンテナンスを容易に行うことができる。
【０００７】
つまり、本発明は、メンテナンス装置において、ＩＣカードとリーダライタとの間の通信インタフェースと同等の通信インタフェースを有することにより、リーダライタとの間の通信を可能とすると共に、リーダライタから送信されたカード検出コマンドが受信されると、そのカード検出コマンドに対するメンテナンス実行レスポンスをリーダライタに送信してリーダライタに対するメンテナンス処理を実行することを特徴とするものである。
【０００８】
請求項２に記載したリーダライタのメンテナンス装置によれば、リーダライタに対するメンテナンス処理として、設定情報の設定や取得、通信ログ情報の取得およびファームウェアのダウンロードやアップロードを実行するように構成したので、作業者は、設定情報の設定や取得、通信ログ情報の取得およびファームウェアのダウンロードやアップロードを容易に行うことができる。
【発明を実施するための最良の形態】
【０００９】
以下、本発明を、非接触ＩＣカードとの間でデータの送受信を非接触方式で行うリーダライタに対してメンテナンス処理を実行するメンテナンス装置に適用した一実施形態について、図面を参照して説明する。
図１は、全体の構成を機能ブロック図として示している。リーダライタ１は、例えばＲＳ−２３２Ｃ、ＵＳＢ、ＬＡＮなどのインタフェースを介して上位装置２に接続されている。この場合、リーダライタ１は、例えば壁に埋込まれて設置されている。メンテナンス装置３は、カード形状アンテナ４とインタフェース変換器５とが専用の通信ケーブル６を介して接続されていると共に、インタフェース変換器５とＰＣ端末７とが専用の通信ケーブル８を介して接続されて構成されている。
【００１０】
この場合、カード形状アンテナ４は、非接触ＩＣカード９と同等の通信機能を有しており、メンテナンス装置３は、このようにカード形状アンテナ４が非接触ＩＣカード９と同等の通信機能を有していることにより、非接触ＩＣカード９とリーダライタ１との間の通信インタフェースと同等の通信インタフェースを有している。インタフェース変換器５は、リーダライタ１が処理するデータのデータ形式とＰＣ端末７が処理するデータのデータ形式とを相互変換する。
【００１１】
ＰＣ端末７は、作業者が操作するもので、カード形状アンテナ４とリーダライタ１との無線通信リンクが確立されている状態では、作業者の操作に応じてリーダライタ１に対するメンテナンス処理を実行する。尚、ここでいうメンテナンス処理とは、設定情報の設定や取得、通信ログ情報の取得およびファームウェアのダウンロードやアップロードなどである。また、リーダライタ１、上位装置２および非接触ＩＣカード９は、例えば客先に出荷されて運用されている。
【００１２】
次に、上記した構成の作用について、図２を参照して説明する。ここで、図２は、リーダライタ１が行う処理およびメンテナンス装置３が行う処理をフローチャートとして示している。
リーダライタ１は、電源が投入されている状態では、カード検出コマンドを定期的に送信しており（発行しており）（ステップＳ１）、非接触ＩＣカード９からカード応答レスポンスが受信されたか否かを監視していると共に（ステップＳ２）、メンテナンス装置３からメンテナンス実行レスポンスが受信されたか否かを監視している（ステップＳ４）。
【００１３】
ここで、非接触ＩＣカード９の使用者が非接触ＩＣカード９をリーダライタ１に近付けると、リーダライタ１から送信されているカード検出コマンドが非接触ＩＣカード９に受信され、非接触ＩＣカード９がカード検出コマンドに対するレスポンスとしてカード応答レスポンスをリーダライタ１に送信することになる。これを受けて、リーダライタ１は、非接触ＩＣカード９から送信されたカード応答レスポンスが受信されると（ステップＳ２にて「ＹＥＳ」）、これ以後、カードアクセス処理を実行する（ステップＳ３）。
【００１４】
これに対して、作業者がメンテナンス装置３のカード形状アンテナ４をリーダライタ１に近付けると、リーダライタ１から送信されているカード検出コマンドがカード形状アンテナ４に受信されることになる。メンテナンス装置３は、リーダライタ１から送信されているカード検出コマンドがカード形状アンテナ４に受信されると（ステップＴ１にて「ＹＥＳ」）、カード検出コマンドに対するレスポンスとしてメンテナンス実行レスポンスをカード形状アンテナ４からリーダライタ１に送信し（ステップＴ２）、これ以後、メンテナンス処理を実行する（ステップＴ３）。これを受けて、リーダライタ１は、メンテナンス装置３から送信されたメンテナンス実行レスポンスが受信されると（ステップＳ４にて「ＹＥＳ」）、これ以後、メンテナンス装置３からの指示に基づいてメンテナンス処理を実行する（ステップＳ５）。
【００１５】
具体的に説明すると、作業者がＰＣ端末７にて例えば設定情報を設定するための操作を行うと、メンテナンス装置３は、設定情報の設定を指示するためのコマンドをカード形状アンテナ４からリーダライタ１に送信し、リーダライタ１は、カード形状アンテナ４からコマンドが受信されると、そのコマンドを解析してメンテナンス装置３からの指示が設定情報の設定である旨を認識し、メンテナンス装置３からの指示に基づいて設定情報を設定する。
【００１６】
また、作業者がＰＣ端末７にて例えば通信ログ情報を取得するための操作を行うと、メンテナンス装置３は、通信ログ情報の取得を指示するためのコマンドをカード形状アンテナ４からリーダライタ１に送信し、リーダライタ１は、カード形状アンテナ４からコマンドが受信されると、そのコマンドを解析してメンテナンス装置３からの指示が通信ログ報の取得である旨を認識し、メモリに蓄積されている通信ログ情報を読出してメンテナンス装置３に送信する。
【００１７】
さらに、作業者がＰＣ端末７にて例えばファームウェアをダウンロードするための操作を行うと、メンテナンス装置３は、ファームウェアのダウンロードを指示するためのコマンドをカード形状アンテナ４からリーダライタ１に送信し、リーダライタ１は、カード形状アンテナ４からコマンドが受信されると、そのコマンドを解析してメンテナンス装置３からの指示がファームウェアのダウンロードである旨を認識し、ファームウェアのダウンロードを許可する場合であれば、ファームウェアのダウンロードの許可を通知するためのレスポンスをメンテナンス装置３に送信し、メンテナンス装置３は、リーダライタ１からレスポンスが受信されると、ファームウェアのダウンロードを実行する。
【００１８】
以上に説明したように本実施形態によれば、メンテナンス装置３において、非接触ＩＣカード９とリーダライタ１との間の通信インタフェースと同等の通信インタフェースを有することにより、リーダライタ１から送信されたカード検出コマンドが受信されると、メンテナンス実行レスポンスをリーダライタ１に送信し、リーダライタ１に対するメンテナンス処理を実行するように構成したので、リーダライタ１が既に客先に出荷されて運用され、リーダライタ１に接続されている上位装置２が使用不可能な場合であっても、これ以後、作業者は、リーダライタ１のメンテナンスとして例えば設定情報の設定や取得、通信ログ情報の取得およびファームウェアのダウンロードやアップロードを容易に行うことができる。
【００１９】
本発明は、上記した実施形態にのみ限定されるものではなく、以下のように変形または拡張することができる。
メンテナンス装置において、インタフェース変換器がＰＣ端末に組込まれている構成であっても良い。
接触方式のＩＣカードとリーダライタとの間の通信インタフェースと同等の通信インタフェースを有することにより、ＩＣカードとの間でデータの送受信を接触方式で行うリーダライタに対してメンテナンス処理を実行する構成であっても良い。
【図面の簡単な説明】
【００２０】
【図１】本発明の一実施形態を示す機能ブロック図
【図２】フローチャート
【符号の説明】
【００２１】
図面中、１はリーダライタ、３はメンテナンス装置、９は非接触ＩＣカードである。
【図１】
2005174099.tif 000003
【図２】
2005174099.tif 000004